(57)【要約】【課題】  出窓と建物躯体との間を安価なコストで断熱し、出窓側の結露が建物躯体に影響を及ぼすのを防止する。【解決手段】  開口部１０５を有する建物躯体１０１の前記開口部１０５から屋外方向に張り出た状態で設けられ、少なくとも前記建物躯体１０１に取り付けられる複合形材からなる左右一対の縦枠２６と、該左右一対の縦枠２６に取り付けられるアルミ形材からなる枠構成部材とを備えた出窓１であって、前記複合形材からなる前記縦枠２６は、室内側に露出した状態で設けられるとともに、前記枠構成部材と非接触状態のアルミ形材からなる室内側取付部Ｂ１と、該室内側取付部Ｂ１から分断された状態で前記枠構成部材に連結されるアルミ形材からなる室外側取付部Ｂ２と、前記室内側取付部Ｂ１と前記室外側取付部Ｂ２との間には、断熱材４５が介在されて断熱ライン４１が設けられている。【選択図】  図２
2007092298.tif 000002
【特許請求の範囲】
【請求項１】
開口部を有する建物躯体の前記開口部から屋外方向に張り出た状態で設けられ、少なくとも前記建物躯体に取り付けられる複合形材からなる左右一対の縦枠と、該左右一対の縦枠に取り付けられるアルミ形材からなる枠構成部材とを備えた出窓であって、
前記複合形材からなる前記縦枠は、室内側に露出した状態で設けられるとともに、前記枠構成部材と非接触状態のアルミ形材からなる室内側取付部と、該室内側取付部から分断された状態で前記枠構成部材に連結されるアルミ形材からなる室外側取付部と、前記室内側取付部と前記室外側取付部との間には、断熱材が介在されて断熱ラインが設けられていることを特徴とする出窓。
【請求項２】
前記左右一対の縦枠の上端間には、複合形材からなる上枠が連結されるとともに、該上枠の前記建物躯体への取付部には、室内側に露出した状態で設けられるとともに、前記枠構成部材と非接触状態のアルミ形材からなる室内側取付部と、該室内側取付部から分断された状態で前記枠構成部材に連結されるアルミ形材からなる室外側取付部と、前記室内側取付部と前記室外側取付部との間に断熱材が介在されて断熱ラインが設けられ、前記縦枠側の断熱ラインの見込み方向の位置と同一位置となるように設けられていることを特徴とする請求項１に記載の出窓。
【請求項３】
前記枠構成部材は、前記左右一対の縦枠の下端部間に設けられる室外側に位置する下枠を有し、該下枠と前記縦枠の室内側取付部との間は非接触状態とされていることを特徴とする請求項１又は２に記載の出窓。
【請求項４】
前記室内側取付部には、室内側に露出する室内露出面が設けられ、前記室外側取付部には窓部を構成する面材取付部あるいは障子取付部が設けられていることを特徴とする請求項１から３の何れかに記載の出窓。
【発明の詳細な説明】
【技術分野】
【０００１】
本発明は、トップライト出窓、屋根付き出窓等の各種の出窓に関する。
【背景技術】
【０００２】
建物躯体の開口部から屋外方向に突出した状態で設けられる出窓には種々のタイプのものがあり、例えば、正面側の窓部と、左右の袖部と、天井側の天面部と、地板部とを備え、左右の袖部の取付部及び天井側の天面部の取付部を、建物躯体の開口部の周縁部にビス止めするように構成したトップライト出窓が知られている。
【０００３】
このような構成の出窓にあっては、出窓に生じる結露によって建物躯体が影響を受けるのを防止するため、建物躯体の室内側と室外側との間に断熱材を介在させて熱的に分断し、建物躯体の室外側の出窓に生じる結露が建物躯体の室内側に作用するのを防止し、建物躯体が結露によって影響を受けるのを防止している。
【０００４】
例えば、出窓の建物躯体側に配置され、出窓を建物躯体に取り付けるための取付部を樹脂によって形成し、この樹脂製の取付部を断熱材として建物躯体の室内側と室外側との間に介在させることにより、出窓に生じる結露が建物躯体側に及ぶのを防止している。
【０００５】
また、他の例として、特許文献１には、左右一対の縦枠と、縦枠の前方に配置される左右一対の方立と、左右一対の縦枠の上端間及び左右一対の方立の上端間に配置される上枠と、左右一対の縦枠の下端間及び左右一対の方立の下端間に配置される下枠とからなる出窓が記載されている。
【０００６】
この場合、左右一対の縦枠の建物躯体への取付部、下枠の取付部、及び方立には、アルミ形材等からなる内側形材と、アルミ形材等からなる外側形材と、内側形材と外側形材との間に介装される合成樹脂等の低熱伝導部材からなるブリッジ材とかなる断熱構造がそれぞれ設けられ、これらの断熱構造によって出窓と建物躯体との間が断熱されている。
【特許文献１】特開平８−１６５８５７号公報
【発明の開示】
【発明が解決しようとする課題】
【０００７】
しかしながら、取付部を樹脂製とした出窓にあっては、樹脂型を起型する際の初期投資が大きくなる。また、出窓の組立ての際に、金属製の形材と樹脂製の取付部とを連結する作業が必要になり、その作業に非常に手間がかかる。さらに、台所用として使用した場合には、樹脂製の取付部がコンロ等の熱による影響を受けてしまう。さらに、浴室用として使用した場合には、樹脂製の取付部と金属製の形材との連結部を止水する必要が生じ、その作業に非常に手間がかかる。さらに、特許文献１に記載されている出窓にあっては、縦枠、下枠、及び方立にそれぞれ断熱構造を設けなければならないので、コストが高くついてしまう。さらに、建物躯体の開口部に設ける下枠が縦枠の下端部に接触しているため、縦枠を断熱構造によって室内側と室外側とに分断しても、室内側と室外側との間を完全に断熱することができず、結露の発生を完全に防止することができず、建物躯体が結露による影響を受けてしまい、出窓の初期の取付強度を長期的に維持することが困難になる。さらに、額縁やカーテン・クロス等の窓まわりが結露によって影響を受けてしまう。
【０００８】
本発明は、上記のような従来の問題に鑑みなされたものであって、建物躯体の室内側と室外側との間を容易にかつ安価に断熱することができるとともに、室内側に結露が生じるのを防止することができて、結露によって建物躯体及び額縁やカーテン・クロス等の窓まわりが影響を受けるのを防止し、さらに、水周り系に使用した場合であっても、熱による影響が少なく、止水のためにシールを施す必要がない、出窓を提供することを目的とする。
【課題を解決するための手段】
【０００９】
本発明は、上記のような課題を解決するために、以下のような手段を採用している。
すなわち、請求項１に係る発明は、開口部を有する建物躯体の前記開口部から屋外方向に張り出た状態で設けられ、少なくとも前記建物躯体に取り付けられる複合形材からなる左右一対の縦枠と、該左右一対の縦枠に取り付けられるアルミ形材からなる枠構成部材とを備えた出窓であって、前記複合形材からなる前記縦枠は、室内側に露出した状態で設けられるとともに、前記枠構成部材と非接触状態のアルミ形材からなる室内側取付部と、該室内側取付部から分断された状態で前記枠構成部材に連結されるアルミ形材からなる室外側取付部と、前記室内側取付部と前記室外側取付部との間には、断熱材が介在されて断熱ラインが設けられていることを特徴とする。
【００１０】
本発明による出窓によれば、縦枠の建物躯体への取付部には、室内側取付部と室外側取付部と両取付部間に介装される断熱材とからなる断熱ラインが設けられ、しかも、室内側に露出する室内側取付部はアルミ形材からなる枠構成部材と非接触状態となっているので、建物躯体に取り付けられ、室内側に露出する室内側取付部と、室外側の室外側取付部との間を完全に断熱することができる。従って、出窓の建物躯体への取付部に結露が生じるようなことはないので、結露によって建物躯体が影響を受けるようなことはなく、出窓の初期の取付強度を長期に亘って維持することができる。さらに、結露によって額縁やカーテン・クロス等の窓まわりが影響を受けるようなこともない。
【００１１】
請求項２に係る発明は、請求項１に記載の出窓であって、前記左右一対の縦枠の上端間には、複合形材からなる上枠が連結されるとともに、該上枠の前記建物躯体への取付部には、室内側に露出した状態で設けられるとともに、前記枠構成部材と非接触状態のアルミ形材からなる室内側取付部と、該室内側取付部から分断された状態で前記枠構成部材に連結されるアルミ形材からなる室外側取付部と、前記室内側取付部と前記室外側取付部との間に断熱材が介在されて断熱ラインが設けられ、前記縦枠側の断熱ラインの見込み方向の位置と同一位置となるように設けられていることを特徴とする。
【００１２】
本発明による出窓によれば、縦枠及び上枠の建物躯体への取付部には、室内側取付部と室外側取付部と両取付部間に介装される断熱材とからなる断熱ラインが設けられ、しかも、室内側に露出する室内側取付部はアルミ形材からなる枠構成部材と非接触状態となっているので、建物躯体に取り付けられ、室内側に露出する室内側取付部と、室外側の室外側取付部との間を完全に断熱することができる。従って、出窓の建物躯体への取付部に結露が生じるようなことはないので、結露によって建物躯体が影響を受けるようなことはなく、出窓の初期の取付強度を長期に亘って維持することができる。さらに、結露によって建物躯体及び額縁やカーテン・クロス等の窓まわりが影響を受けるようなこともない。
【００１３】
請求項３に係る発明は、請求項１又は２に記載の出窓であって、前記枠構成部材は、前記左右一対の縦枠の下端部間に設けられる室外側に位置する下枠を有し、該下枠と前記縦枠の室内側取付部との間は非接触状態とされていることを特徴とする。
【００１４】
本発明による出窓によれば、室内側に露出する室内側取付部と室外側に位置する下枠との間は非接触状態となっているので、出窓の建物躯体への取付部に結露が生じるのを確実に防止することができる。
【００１５】
請求項４に係る発明は、請求項１から３の何れかに記載の出窓であって、前記室内側取付部には、室内側に露出する室内露出面が設けられ、前記室外側取付部には窓部を構成する面材取付部あるいは障子取付部が設けられていることを特徴とする。
【００１６】
本発明による出窓によれば、ＦＩＸ窓、引き違い、外開き等各種障子を備えた窓等に適用することができる。
【発明の効果】
【００１７】
以上、説明したように、本発明の出窓によれば、縦枠及び上枠の建物躯体への取付部には、室内側取付部と室外側取付部と両取付部間に介装される断熱材とからなる断熱ラインが設けられ、しかも、室内側に露出する室内側取付部はアルミ形材からなる枠構成部材と非接触状態となっているので、建物躯体に取り付けられ、室内側に露出する室内側取付部と、室外側の室外側取付部との間を完全に断熱することができる。
従って、出窓の建物躯体への取付部に結露が生じるようなことはないので、結露によって建物躯体が影響を受けるようなことはなく、出窓の初期の取付強度を長期に亘って維持することができる。さらに、結露によって額縁やカーテン・クロス等の窓まわりが影響を受けるのを防止できる。
また、建物躯体に取り付けるための縦枠及び上枠の取付部にのみ断熱ラインを設ければよいので、費用を削減することができる。さらに、断熱ラインを建物躯体への取付部に一体に組み込むことができるので、断熱ラインの取り付けに要する手間を削減することができ、取り付けに要する費用を削減することができる。さらに、断熱ラインは縦枠及び上枠の取付部と一体に形成されているので、断熱ラインと取付部との連結部をシールする必要はなく、浴室用としても十分に使用することができる。さらに、熱による影響を受けることが少ないので、コンロ等による熱が作用する台所、厨房用等としても十分に使用することができる。
さらに、ＦＩＸ窓、引き違い、外開き等各種障子を備えた窓等に適用することができるので、汎用性を高めることができる。
【発明を実施するための最良の形態】
【００１８】
以下、図面に示す本発明の実施の形態について説明する。
図１〜図７には、本発明による出窓の第１の実施の形態が示されていて、図１は本実施の形態の出窓の縦断面図、図２は横断面図、図３は図２のＣ−Ｃ線断面図、図４は上断熱ラインの拡大断面図、図５は縦断熱ラインの拡大断面図、図６及び図７は結露の排水系統を示した説明図である。
【００１９】
本実施の形態に示す出窓１は、いわゆるトップライト出窓であって、正面側の窓部２と、左右の袖部１６、１６と、天井側の天面部３０と、地板部３５とからなる出窓本体９と、出窓本体９と建物躯体１０１との間に介装される断熱ライン４１とを備えている。
【００２０】
窓部２は、図１及び図２に示すように、窓上枠４と、窓下枠６と、左右の窓縦枠８、８とを四方枠組して構成した窓枠３と、窓枠３の内側に左右に摺動自在に取り付けられる内外一対の障子１０、１０とから構成され、一対の障子１０、１０を左右に摺動させることにより窓枠３の内側部分が開閉される。
【００２１】
各障子１０は、上框１２と、下框１３と、左右一対の縦框１４、１４とを四方枠組して構成した框枠１１と、框枠１１の内側に嵌め込まれた複層ガラス等からなる面材１５とから構成され、框枠１１の上框１２及び下框１３が窓枠３の窓上枠４及び窓下枠６によって左右方向に摺動自在に支持されている。
【００２２】
各袖部１６は、図１〜図３に示すように、室外側の端部が窓縦枠７の上端側に接合される、室外側に向かって下方に傾斜する袖上枠１８と、室外側の端部が窓縦枠７の下端側に接合される水平方向を向く袖下枠２２と、袖上枠１８と袖下枠２２の室内側の端部間に接合される上下方向を向く袖縦枠２６とからなる袖枠１７と、袖枠１７の内側に嵌め殺し状態に取り付けられる複層ガラス等からなる面材２９とから構成されている。
【００２３】
各袖部１６の袖縦枠２６には、袖縦枠２６を建物躯体１０１の開口部１０５の左右端に沿って取り付けるための縦取付部Ｂが設けられ、この縦取付部Ｂに後述する断熱ライン４１の縦断熱ライン４３が設けられている。
【００２４】
面材２９は、袖上枠１８に設けられる一対の支持片１９、１９間で上縁部が支持され、袖下枠２２に設けられる一対の支持片２４、２４間で下縁部が支持され、袖縦枠２６に設けられる一対の支持片２７、２７間で側縁部が支持されている。
【００２５】
天面部３０は、図１及び図３に示すように、左右の袖部１６、１６の上端間に架設される天枠３１と、天枠３１の内側に嵌め殺し状態に取り付けられる、室外側に向かって下方に傾斜する複層ガラス等からなる面材３３とから構成されている。面材３３は、窓上枠４及び天枠３１にそれぞれ設けられた保持溝５、３２内に周縁部が嵌め込まれ、室内側の面の左右の縁部が袖上枠１８に設けられている支持片２１によって支持されている。
【００２６】
天面部３０の天枠３１には、天枠３１を建物躯体１０１の開口部１０５の上端に沿って取り付けるための上取付部Ａが設けられ、この上取付部Ａに後述する断熱ライン４１の上断熱ライン４２が設けられている。
【００２７】
地板部３５は、図１〜図３に示すように、両端が左右の袖部１６、１６の下端間に架設される底枠３６と、底枠３６の上端に載置される地板３７とから構成され、地板３７の前縁部及び側縁部が窓下枠６及び袖下枠２２の保持溝７、２３内に挿入されている。底枠３６、窓下枠６、及び袖下枠２２によって囲まれる部分には断熱材３８が設けられ、底枠３６、窓下枠６、及び袖下枠２２の下面側は底板３９で閉塞されている。
【００２８】
地板３７の前縁部及び側縁部が挿入される袖下枠２２の保持溝２３の開口部には、樹脂押出し材からなるカバー３４が取り付けられ、このカバー３４によって地板３７の表面に結露が生じるのが防止される。地板部３５のカバー３４よりも室外側の部分の袖下枠２２に生じた結露は、図６に矢印で示すルートを辿って室外に排水される。すなわち、袖下枠２２の内部を通って排水口２２ａに導かれ、排水口２２ａに設けられている一方向弁４０を介して室外に排出される。また、窓下枠６に生じた結露は、図７に矢印で示すルートを辿って室外に排水される。すなわち、窓下枠６の内部を通って排水口２２ａに導かれ、２２ａ排水口に設けられている一方向弁４０を介して室外に排出される。
【００２９】
断熱ライン４１は、図１〜図３に示すように、上枠である天面部３０の天枠３１に一体に設けられ、天枠３１を建物躯体１０１側にねじ４８により取り付けるための上取付部Ａに設けられる上断熱ライン４２と、袖部１６の左右の袖縦枠２６に一体に設けられ、左右の袖縦枠２６を建物躯体１０１側にねじ４８により取り付けるための縦取付部Ｂに設けられる縦断熱ライン４３とから構成され、この断熱ライン４１によって出窓本体９と建物躯体１０１との間が断熱される。
【００３０】
上断熱ライン４２は、建物躯体１０１の開口部１０５の上端に沿うように、上取付部Ａの室外側端部に開口部１０５の幅方向に沿って設けられ、この上断熱ライン４２によって出窓本体９と建物躯体１０１との間が建物躯体１０１の開口部１０５の全幅に亘って熱的に分断される。
【００３１】
縦断熱ライン４３は、建物躯体１０１の開口部１０５の左右端に沿うように、各縦取付部Ｂの室外側端部に開口部１０５の全高に渡って設けられ、各縦断熱ライン４３の下端はそれぞれ地板部３５の断熱材３８の部分まで延出している。そして、この縦断熱ライン４３により、出窓本体９と建物躯体１０１との間が建物躯体１０１の開口部１０５の全高に亘って熱的に分断される。
【００３２】
すなわち、上断熱ライン４２は、図４に示すように、対向して設けられるアルミニウム等の金属からなる略Ｃ形状の一対の形材４７、４７と、両形材４７、４７間に設けられて両形材４７、４７間を一体に接合するウレタン等からなる断熱材４５とからなものであって、両形材４７、４７の対向間にはそれぞれポケット部４６が設けられている。
【００３３】
上断熱ライン４２は、例えば、一側の中央部が切り欠かれた略Ｃ形状のアルミニウム等の金属からなる形材４４の内部に、溶融状態のウレタン等からなる断熱材４５を注入し、この断熱材４５を硬化させることにより形材４４と断熱材４５とを一体化し、この後に、形材４４の他側の中央部を削除することにより、一対の形材４７、４７間に断熱材４５が介在する形状に形成される。
【００３４】
この上断熱ライン４２は、押出し成形によって上取付部Ａと一体に形成され、一方の形材４７が上室内側取付部Ａ１に一体に連結され、他方の形材４７が上室外側取付部Ａ２に一体に連結され、両形材４７、４７間に断熱材４５が介在し、この断熱材４５によって建物の室内側に露出する上室内側取付部Ａ１と建物の室外側の上室外側取付部Ａ２との間が熱的に分断されることになる。なお、上室内側取付部Ａ１は、アルミ形材等からなる枠構成部材とは非接触の状態となっている。
【００３５】
また、縦断熱ライン４３は、図５に示すように、上断熱ライン４２と同様に構成され、両ポケット部４６、４６を介して所定の間隔を隔てて配置される一対の形材４７、４７間に断熱材４５が介在される。
【００３６】
この縦断熱ライン４３は、押出し成形によって縦取付部Ｂと一体に形成され、一方の形材４７が縦室内側取付部Ｂ１に一体に連結され、他方の形材４７が縦室外側取付部Ｂ２に一体に連結され、両形材４７、４７間に断熱材４５が介在し、この断熱材４５によって建物の室内側に露出する縦室内側取付部Ｂ１と建物の室外側に属する縦室外側取付部Ｂ２との間が熱的に分断されることになる。なお、縦室内側取付部Ｂ１は、アルミ形材等からなる枠構成部材とは非接触の状態となっている。
【００３７】
なお、上断熱ライン４２の枠構成部材とは、天枠３１の上室内側取付部Ａ１を除いた部分、窓枠３の窓上枠４、窓下枠６、左右の窓縦枠８、左右の袖部１６の袖縦枠２６の縦室内側取付部Ｂ１を除いた部分、袖上枠１８、袖下枠２２、地板部３５の底板３６、地板３７である。また、縦断熱ライン４３の枠構成部材とは、天枠３１の上室内側取付部Ａ１を除いた部分、窓枠３の窓上枠４、窓下枠６、左右の窓縦枠８、左右の袖部１６の袖縦枠２６の縦室内側取付部Ｂ１を除いた部分、袖上枠１８、袖下枠２２、地板部３５の底板３６、地板３７である。
【００３８】
なお、上断熱ライン４２及び縦断熱ライン４３は、上記の方法に限らず、一対のアルミニウム等の金属からなる形材４７、４７間をウレタン等の断熱材４５を介して一体に連結することにより上記のような形状に形成してもよい。
【００３９】
そして、上記のような構成の上断熱ライン４２を天面部３０の天枠３１の上取付部Ａに介在させ、縦断熱ライン４３を各袖部１６の袖縦枠２６の縦取付部Ｂにそれぞれ介在させることにより、建物躯体１０１の開口部１０５の上端及び左右端部に沿う断熱ライン４１を構成することができ、この断熱ライン４１によって建物の室内側と室外側との間を断熱することができる。
【００４０】
上記のように構成した本実施の形態による出窓１にあっては、出窓本体９の建物躯体への取付部である上取付部Ａに上断熱ライン４２を設け、縦取付部Ｂに縦断熱ライン４３を設けることにより、建物の室内側と室外側との間を断熱する断熱ライン４１を構成しているので、出窓１の袖部１６の全周囲、窓部２の全周囲を断熱する場合等に比べて、断熱ライン４１の全長を短くすることができる。従って、出窓１の断熱に要する費用を大幅に削減することができる。
【００４１】
また、出窓本体９を建物躯体１０１に取り付けるだけで、出窓本体９と建物躯体１０１との間に断熱ライン４１を介在させることができるので、断熱ライン４１を取付ける作業が不要になる。さらに、断熱ライン４１をねじにより上取付部Ａ及び縦取付部Ｂに連結する必要がないので、断熱ライン４１の連結に手間を必要とすることはなく、また、連結部をシールする必要もない。さらに、樹脂製の部品を使用していないので、熱による影響を受けることも少なく、コンロ等の熱が作用する台所、厨房用等としても十分に使用することができる。さらに、断熱ライン４１を上取付部Ａ及び縦取付部Ｂと一体に形成しているので、断熱ライン４１の連結部をシールする必要はなく、浴室用としても十分に使用することができる。
【００４２】
さらに、上断熱ライン４２の上室内側取付部Ａ１は、アルミ形材等からなる枠構成部材とは非接触の状態となっており、また、縦断熱ライン４３の縦室内側取付部Ｂ１は、アルミ形材等からなる枠構成部材とは非接触の状態となっているので、上室内側取付部Ａ１及び縦室内側取付部Ｂ１に結露が生じるようなことはなく、結露によって建物躯体１０１が影響を受けるようなことはなく、初期の取付強度を長期に亘って維持することができる。さらに、結露によって額縁やカーテン・クロス等の窓まわりが影響を受けるのを防止できる。
【００４３】
図８〜図１０には、本発明による出窓の第２の実施の形態が示されていて、図８は本実施の形態の出窓の縦断面図、図９は横断面図、図１０は図９のＤ−Ｄ線断面図である。
【００４４】
本実施の形態に示す出窓５１は、いわゆる屋根付き出窓であって、天井側の屋根部８０と、正面側の窓部２と、左右の袖部１６、１６と、地板部３５とからなる出窓本体５２と、出窓本体５２と建物躯体１０１との間に介装される断熱ライン６０とを備えている。本実施の形態の出窓５１は、屋根部８０及び断熱ライン６０の構成が異なるだけで、その他の部分の構成は第１の実施の形態の出窓１と同一であるので、同一の部分には同一の番号を付してその詳細な説明は省略し、異なる部分についてのみ説明するものとする。
【００４５】
屋根部８０は、図８及び図１０に示すように、建物の外壁から屋外方向に張り出るように取り付けられる屋根本体８１と、屋根本体８１の下面側にねじ８２により固定される天板８３とからなり、屋根本体８１の上面は屋外方向に向かって下方に傾斜する傾斜面に形成され、屋根本体８１の内部には断熱材１００が介装されている。
【００４６】
断熱ライン６０は、各袖部１６の袖縦枠２６の縦取付部Ｂにそれぞれ設けられる縦断熱ライン４３からなり、第１の実施の形態の上断熱ライン４２に相当するものは設けられていない。各縦断熱ライン４３は、第１の実施の形態の縦断熱ライン４３と同様の構成を有し、上端が屋根部８０の断熱材１００まで延出し、下端が地板部３５の断熱材３８にまで延出している。
【００４７】
上記のように構成した本実施の形態による出窓５１にあっても、前記第１の実施の形態と同様に、出窓本体５２の縦取付部Ｂに縦断熱ライン４３を設けることにより、出窓本体５２と建物躯体１０１との間を断熱する断熱ライン６０を構成しているので、前記第１の実施の形態と同様の作用効果を奏する。
【００４８】
なお、上記の説明においては、本発明による出窓をトップライト出窓、屋根付き出窓に適用したが、上記のようなタイプの出窓に限らず、平面形状が三角形、四角形、台形、多角形の出窓、弓形、アール形の出窓等の他の各種の出窓に適用してもよい。その場合にも、縦枠及び上枠に断熱ラインを設けることにより、建物躯体に取り付けられる室内側に露出する室内側取付部と、室外側の室外側取付部とが熱的に分断されるとともに、室内側取付部がアルミ形材等からなる枠構成部材（例えば、天枠の室内側取付部を除いた部分、窓枠の窓上枠、窓下枠、左右の窓縦枠、左右の袖部の袖縦枠の室内側取付部を除いた部分、袖上枠、袖下枠、地板部の底板、地板等）と非接触状態となるので、上述したものと同様の作用効果を奏することになる。
【図面の簡単な説明】
【００４９】
【図１】本発明による出窓の第１の実施の形態を示した縦断面図である。
【図２】図１に示す出窓の横断面図である。
【図３】図２のＣ−Ｃ線断面図である。
【図４】上断熱ラインの拡大断面図である。
【図５】縦断熱ラインの拡大断面図である。
【図６】結露の排水系統を示した説明図である。
【図７】結露の排水系統を示した説明図である。
【図８】本発明による出窓の第２の実施の形態を示した縦断面図である。
【図９】図７に示す出窓の横断面図である。
【図１０】図２のＤ−Ｄ線断面図である。
【符号の説明】
【００５０】
１，５１  出窓、２  窓部、３  窓枠、４  窓上枠、５  保持溝、
６  窓下枠、７  保持溝、８  窓縦枠、９，５２  出窓本体、１０  障子、
１１  框枠、１２  上框、１３  下框、１４  縦框、１５  面材、１６  袖部、
１７  袖枠、１８  袖上枠、１９  支持片、２１  支持片、２２  袖下枠、
２２ａ  排水口、２３  保持溝、２４  支持片、２６  袖縦枠、２７  支持片、
２９  面材、３０  天面部、３１  天枠、３２  保持溝、３３  面材、
３４  カバー、  ３５  地板部、３６  底枠、３７  地板、３８  断熱材、
３９  底板、４０  一方向弁、４１、６０  断熱ライン、４２  上断熱ライン、
４３  縦断熱ライン、４４  形材、４５  断熱材、４６  ポケット部、
４７  形材、４８  ねじ、８０  屋根部、８１  屋根本体、８２  ねじ、
８３  天板、１００  断熱材、１０１  建物躯体、１０５  開口部、
Ａ  上取付部、Ａ１  上室内側取付部、Ａ２  上室外側取付部、Ｂ  縦取付部、
Ｂ１  縦室内側取付部、Ｂ２  縦室外側取付部
【図１】
2007092298.tif 000003
【図２】
2007092298.tif 000004
【図３】
2007092298.tif 000005
【図４】
2007092298.tif 000006
【図５】
2007092298.tif 000007
【図６】
2007092298.tif 000008
【図７】
2007092298.tif 000009
【図８】
2007092298.tif 000010
【図９】
2007092298.tif 000011
【図１０】
2007092298.tif 000012